(57)【要約】      （修正有）【課題】マッサージ機能を有するカーペットを提供する。【解決手段】マッサージ機能を有するカーペットは、第一端面及び反対方向の第二端面を有する、所定の厚さを有するスポンジ層２０と、第二端面の下方に設けられる滑り止めゴム層３０と、滑り止めゴム層３０に粘着される台座及び台座に設けられる弾性部材を各々有する、スポンジ層２０と滑り止めゴム層３０との間に挟装されると共に均等に分布される複数のマッサージ顆粒４０とを主に備える。本考案はスポンジ層２０と滑り止めゴム層３０との間に均等に分布されるこれらマッサージ顆粒４０により、且つ各マッサージ顆粒４０が熱溶融技術によりその各台座が滑り止めゴム層３０に熱溶着されることで、足裏のマッサージ機能を達成させる。【選択図】図２
0003208578.tif 000002
【実用新案登録請求の範囲】
【請求項１】
第一端面及び反対方向の第二端面を有する所定の厚さを有するスポンジ層と、
前記第二端面の下方に設けられる滑り止めゴム層と、
前記滑り止めゴム層に粘着される台座及び前記台座に設置される弾性部材を各々有し、前記スポンジ層と前記滑り止めゴム層との間に挟装されると共に均等に分布される複数のマッサージ顆粒と、を備えることを特徴とする、
マッサージ機能を有するカーペット。
【請求項２】
保温機能を有すると共に前記第一端面に設けられる布層を更に有することを特徴とする、請求項１に記載のマッサージ機能を有するカーペット。
【請求項３】
前記マッサージ顆粒は前記弾性部材内部に内設されるエアクッション空間を有することを特徴とする、請求項１に記載のマッサージ機能を有するカーペット。
【請求項４】
前記マッサージ顆粒には熱溶融技術が採用されて前記台座が前記滑り止めゴム層に熱溶着されることを特徴とする、請求項１に記載のマッサージ機能を有するカーペット。
【考案の詳細な説明】
【技術分野】
【０００１】
本考案は、マッサージ機能を有するカーペットに関する。
【背景技術】
【０００２】
現代人にはストレスが多いため、住宅品質の向上に伴い、日常生活で接する家具にマッサージ効果を有する構造を付設させることで、日常生活における動作の中で、同時に身体の保養のための療養効果を実現させている。
【考案の概要】
【考案が解決しようとする課題】
【０００３】
図１は一般的な従来の組み合わせ式カーペット構造の展開図である。従来のカーペットの特徴は、各層間の積層順、各層の材質特性及び発揮される効果に依存し、何ら特殊な構造や部材によりマッサージ機能が提供されるわけではない。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、マッサージ機能が結合されると共に美観も兼ね備えたカーペットにより、現代人の日用品に対する需要を満たし、高いコストパフォーマンスを実現する、マッサージ機能を有するカーペットを提供することを主目的とする。
【課題を解決するための手段】
【０００６】
上述した課題を解決し、目的を達成するための本考案に係るマッサージ機能を有するカーペットは、第一端面及び反対方向の第二端面を有する、所定の厚さを有するスポンジ層と、第二端面の下方に設けられる滑り止めゴム層と、滑り止めゴム層に粘着される台座及び台座に設置される弾性部材を各々有する、スポンジ層と滑り止めゴム層との間に挟装されると共に均等に分布される複数のマッサージ顆粒とを備えることを特徴とする。
【０００７】
好ましくは、マッサージ機能を有するカーペットは、保温機能を有すると共に前記第一端面に設けられる布層を更に有する。  
【０００８】
好ましくは、マッサージ顆粒は弾性部材内部に内設されるエアクッション空間を有する。
【０００９】
好ましくは、マッサージ顆粒は熱溶融技術が採用されて前記台座が滑り止めゴム層に熱溶着される。
【考案の効果】
【００１０】
本考案によれば、少なくとも以下の効果を有する。
マッサージ顆粒が層の間に設置されることにより、本考案に係るカーペットが足で踏まれる際にマッサージ機能を発揮させる。また、中空のマッサージ顆粒構造の設計によりマッサージ顆粒が硬すぎて使用者が痛みを感じないようにする。さらには、マッサージ顆粒及び底層の滑り止めゴム層は一体成形ではなく、且つ熱溶融技術が採用されて熱溶着されることにより、これら前記マッサージ顆粒及び前記滑り止めゴム層の接合箇所が強化されて断裂しないようになり、同時に製造コストも低下する。
【図面の簡単な説明】
【００１１】
【図１】従来の組み合わせ式カーペット積層構造を示す展開図である。
【図２】本考案の好ましい実施形態に係るマッサージ機能を有するカーペットの積層を説明する傾斜の展開図である。
【図３】本考案の好ましい実施形態に係るマッサージ機能を有するカーペットを説明する一部の断面図である。
【図４】本考案の好ましい実施形態に係るマッサージ機能を有するカーペットのマッサージ顆粒を説明する傾斜の断面図である。
【図５】本考案の好ましい実施形態の使用状態を説明する概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１３】
（第１実施形態）
図２は本考案の好ましい実施形態に係るマッサージ機能を有するカーペットの積層を説明する傾斜の展開図であり、図３は本考案の好ましい実施形態に係るマッサージ機能を有するカーペットを説明する一部の断面図である。
本考案の好ましい実施形態に係るマッサージ機能を有するカーペットは、所定の厚さのスポンジ層２０と、滑り止めゴム層３０と、複数の前記スポンジ層２０と前記滑り止めゴム層３０との間に挟装されると共に均等に分布されるマッサージ顆粒４０と、保温機能を有する布層５０とで主に構成される。  スポンジ層２０は、第一端面２１及び反対方向の第二端面２２を有する。スポンジ層２０はポリウレタン材料であり、スポンジ層により足踏みで地面を踏む際に発生する反作用力に対する緩衝機能及び余分な水分の吸収機能が提供される。
【００１４】
また、滑り止めゴム層３０は第二端面２２の下方に設けられて、本考案の好ましい実施形態に係るカーペットの最底層となり、滑り止めゴム層３０により本考案に係るマッサージ機能を有するカーペット滑り止め機能及び熱溶融接合機能が提供される。上述の機能を提供するために、滑り止めゴム層３０の材料はエチレン及び他のアリルモノマーのコポリマー、例えば、エチレン‐ステアリン酸ビニルコポリマー、エチレンアクリレートコポリマー、スチレンブタジエンコポリマー等の内から任意で選択される。本考案の好ましい実施形態においては、スチレンブタジエンコポリマー（ＳＢＲ）が優先的に選択される。
【００１５】
なお、各マッサージ顆粒４０はスポンジ層２０と前記滑り止めゴム層３０との間に挟装されると共に滑り止めゴム層３０に均等に分布される。各マッサージ顆粒４０は、台座４１、台座４１に設置される弾性部材４２、及び弾性部材４２内部に内設されるエアクッション空間４３を有する。
図４を参照する。各マッサージ顆粒の傾斜の断面図であり、台座４１は平たい丸餅状を呈し、弾性部材４２はミサイル型柱状構造になり、且つ中空の柱型構造であり、各弾性部材４２は可撓性のゴム材料から選択される。
【００１６】
本考案の好ましい実施形態において、第一端面２１には、フランネル材質から選択され、保温及び美観的装飾効果を提供する布層５０が設けられる。  
【００１７】
最後に、図５は本考案の好ましい実施形態の使用状態を説明する概略図である。足で本考案に係るカーペットを踏むと、これら前記マッサージ顆粒４０は人体が圧下する重さにより、足裏がこれら前記マッサージ顆粒４０の間の隙間に嵌入してゆき、これにより使用者の足裏のツボに対するマッサージ効果が達成される。
【００１８】
よって、本考案は以下の効果を有する。
これら前記マッサージ顆粒４０が層の間に設置されることにより、本考案カーペットが足で踏まれる際にマッサージ機能を発揮させる。また、中空のマッサージ顆粒４０の構造設計によりこれら前記マッサージ顆粒４０が硬すぎて使用者が痛みを感じることがないようにする。なお、これら前記マッサージ顆粒４０及び底層の前記滑り止めゴム層３０は一体成形ではないため、且つ熱溶融技術により熱溶着されることにより、これら前記マッサージ顆粒４０及び前記滑り止めゴム層３０の接合箇所が強化されて断裂しなくなり、同時に製造コストも低下する。
【００１９】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２０】
Ａ    ウールの毛布層
Ｂ    ベース層
Ｃ    樹脂層
Ｄ    剥離紙
２０  スポンジ層
２１  第一端面
２２  第二端面
３０  滑り止めゴム層
４０  マッサージ顆粒
４１  台座
４２  弾性部材
４３  エアクッション空間
５０  布層
【図１】
0003208578.tif 000003
【図２】
0003208578.tif 000004
【図３】
0003208578.tif 000005
【図４】
0003208578.tif 000006
【図５】
0003208578.tif 000007